(57)【特許請求の範囲】
【請求項１】
コンテンツデータがオリジナルであるか、コピーであるかを示す識別データが付随された上記コンテンツデータが伝送され、上記伝送されたコンテンツデータを再生するデータ再生装置であって、
上記コンテンツデータに付随された識別データを分離する識別データ分離手段と、
上記分離された識別データから上記コンテンツデータがオリジナルであるか、コピーであるかを判別する識別データ判別手段とを有し、
上記分離された上記コンテンツデータを再生部へ供給し、
上記判別結果に応じて、上記コンテンツデータがオリジナルであると判別したときには、付加的なサービスを提供し、
上記コンテンツデータがコピーであると判別したときには、上記付加的なサービスとは異なるサービスを提供すると共に、コピーが不可能である旨のメッセージを表示するデータ再生装置。
【請求項２】
上記判別結果をシステムに対して報知する請求項１記載のデータ再生装置。
【請求項３】
上記識別データが付随されたコンテンツデータは、ネットワークを介して伝送する請求項１記載のデータ再生装置。
【請求項４】
上記付加的なサービスは、ネットワークを介して伝送する請求項１記載のデータ再生装置。
【請求項５】
コンテンツデータがオリジナルであるか、コピーであるかを示す識別データが付随された上記コンテンツデータが伝送され、上記伝送されたコンテンツデータを再生するに際し、
上記コンテンツデータに付随された識別データを分離し、
上記分離された識別データから上記コンテンツデータがオリジナルであるか、コピーであるかを判別し、
上記分離された上記コンテンツデータを再生部へ供給し、
上記判別結果に応じて、上記コンテンツデータがオリジナルであると判別したときには、付加的なサービスを提供し、
上記コンテンツデータがコピーであると判別したときには、上記付加的なサービスとは異なるサービスを提供すると共に、コピーが不可能である旨のメッセージを表示するデータ再生方法。
【発明の詳細な説明】
【０００１】
【発明の属する技術分野】
この発明は、例えば音楽データに対して適用されるデータ再生装置および方法に関する。
【０００２】
【従来の技術】
音楽データの著作権の保護の方式として、ＳＣＭＳ(Serial Copy ManagementSystem) やＣＧＭＳ(Copy Generation Management System) が知られている。ＳＣＭＳは、ＣＤ(Compact Disc)、ＭＤ(Mini Disc) において採用されているもので、１世代目のコピーは認め、２世代目のコピー（孫コピー）は禁止されるものである。ＣＧＭＳでは、コピー禁止か、またはコピーが何世代目まで可能かのような世代制限を行なうものである。これらのコピー制限を実現するために、ＳＣＭＳビット、ＣＧＭＳビットがコンテンツデータと別に用意されている。これらを総称して、ＳＣＭＳ／ＣＧＭＳビットと表す。コピーが行なわれる時には、ＳＣＭＳ／ＣＧＭＳビットで示される世代情報が１世代進められるようになされる。
【０００３】
【発明が解決しようとする課題】
オリジナルとコピーを区別することによって、コピー制限をより確実とすることが可能となり、また、オリジナルの所有者に対して特典を与え、それによってオリジナルの価値をより高めることが可能となる。従来のコピー制限の方法は、オリジナルとコピーを確実に区別することができなかった。すなわち、コピーに際して、記録装置がＳＣＭＳ／ＣＧＭＳビットの表す世代情報を必ず書き換える前提の下では、ＳＣＭＳ／ＣＧＭＳビットに基づいて、コンテンツがオリジナルかコピーかを判別することができる。しかしながら、記録装置がＳＣＭＳ／ＣＧＭＳビットを更新しない場合には、判別が正しくなされない。
【０００４】
また、コンテンツがメインチャンネル上で伝送され、ＳＣＭＳ／ＣＧＭＳビットがサブチャンネル上で伝送されることがある。このように、コンテンツとＳＣＭＳ／ＣＧＭＳビットとが別チャンネルで伝送されると、例えばパーソナルコンピュータ上は、メインチャンネルしか取り扱わないので、オリジナルかコピーかを表す情報は、失われてしまう。パーソナルコンピュータによる処理後のコンテンツが記録されたＣＤ−Ｒ(CD-Recordable) と音楽ソフトとして販売されているＣＤとが区別できない。
【０００５】
したがって、この発明の目的は、オリジナルとコピーとを確実に区別することが可能なデータ再生装置および方法を提供することにある。
【０００６】
【課題を解決するための手段】
上述した課題を解決するために、請求項１の発明は、コンテンツデータがオリジナルであるか、コピーであるかを示す識別データが付随されたコンテンツデータが伝送され、伝送されたコンテンツデータを再生するデータ再生装置であって、コンテンツデータに付随された識別データを分離する識別データ分離手段と、分離された識別データからコンテンツデータがオリジナルであるか、コピーであるかを判別する識別データ判別手段とを有し、分離されたコンテンツデータを再生部へ供給し、判別結果に応じて、コンテンツデータがオリジナルであると判別したときには、付加的なサービスを提供し、コンテンツデータがコピーであると判別したときには、付加的なサービスとは異なるサービスを提供すると共に、コピーが不可能である旨のメッセージを表示するデータ再生装置である。
【０００７】
請求項５の発明は、コンテンツデータがオリジナルであるか、コピーであるかを示す識別データが付随されたコンテンツデータが伝送され、伝送されたコンテンツデータを再生するに際し、コンテンツデータに付随された識別データを分離し、分離された識別データからコンテンツデータがオリジナルであるか、コピーであるかを判別し、分離されたコンテンツデータを再生部へ供給し、判別結果に応じて、コンテンツデータがオリジナルであると判別したときには、付加的なサービスを提供し、コンテンツデータがコピーであると判別したときには、付加的なサービスとは異なるサービスを提供すると共に、コピーが不可能である旨のメッセージを表示するデータ再生方法である。
【００１２】
この発明では、コンテンツデータと付随し、コピー、出力が禁止される識別データを設けるので、オリジナルか、コピーかを確実に区別することが可能となる。
【００１３】
【発明の実施の形態】
以下、この発明の一実施形態について説明する。図１は、この発明の一実施形態の概念を説明するものである。音楽データ、画像データ等のコンテンツ１Ａに対して、コンテンツ１Ａに関連するデータが挿入されるコンテンツヘッダ２Ａが付加される。コンテンツヘッダ２Ａ内にオリジナルマーク３（図面中では、＊で表す）が含まれている。オリジナルマーク３は、例えば予め決められたビットパターンのディジタルデータである。オリジナルマーク３のコピーは、一切禁止される。すなわち、ディジタル出力およびアナログ出力の何れの形態でも出力されない。
【００１４】
したがって、コピー後のコンテンツ１Ｂのコンテンツヘッダ２Ｂには、オリジナルマーク３が含まれていない。他の例として、コンテンツヘッダ自体のコピーを禁止することによって、オリジナルマーク３のコピーを禁止してもよい。さらに、オリジナルマーク３を所定のビットパターンを有するコピーマーク（図ではドットで示す）４に変更することによって、実質的にコピーマーク３のコピーを禁止しても良い。
【００１５】
このように、コピー時に、オリジナルマーク３を出力しないので、記録装置がコピー制限に関連するビットを書き換える機能を有していないとしても、コピー後のコンテンツには、オリジナルマーク３が含まれない。コンテンツがオリジナルか、コピーかは、オリジナルマーク３の有無によって決定することができる。したがって、コピー制限を確実に行うことが可能となる。また、オリジナルのコンテンツの所有者に対して特別のサービスを提供することが可能となる。
【００１６】
図２は、オリジナルマークが付加されたコンテンツデータを生成するための構成例を示す。図２において、１１で示す入力端子に対して、コンテンツデータが供給される。コンテンツデータ例えば音楽コンテンツデータが供給される。コンテンツデータは、データ量を節減するために圧縮符号化されたものでも良い。
【００１７】
圧縮符号化としては、ＭＰＥＧ２(Moving Picture Experts Group Phase2) のＡＡＣ(Advanced Audio Coding) 、ＭＰ３(MPEG1 Audio Layer III) 、ＡＴＲＡＣ(Adaptive Transform Acoustic Coding)、ＡＴＲＡＣ３等を使用できる。ＡＴＲＡＣ３は、ＭＤで使用されているＡＴＲＡＣに改良を加え、より高い圧縮率（約１／１０）の圧縮率を実現するものである。
【００１８】
コンテンツデータが暗号化回路１２に供給される。暗号化としては、ＤＥＳ、ＲＳＡ等を使用できる。ＤＥＳは、ブロック毎に暗号化を行なうブロック暗号化の一つである。ＲＳＡは、暗号化と復号化に異なる鍵データを使う公開鍵暗号の一つである。暗号化回路１２の出力がエラー訂正符号化回路１３に供給され、エラー訂正の符号化がなされる。エラー訂正符号化回路１３の出力がマルチプレクサ１４に供給される。
【００１９】
マルチプレクサ１４には、入力端子１５からオリジナルマークが供給されている。マルチプレクサ１４において、暗号化されたコンテンツデータに対して、コンテンツヘッダとしてオリジナルマークが付加される。そして、マルチプレクサ１４の出力端子１６には、暗号化コンテンツデータに対してオリジナルマークが付加された伝送コンテンツデータが発生する。伝送コンテンツデータは、図示しないが、ネットワーク等を介して配信される。なお、図２において、破線で示すように、オリジナルマークを暗号化回路１２の鍵として使用しても良い。
【００２０】
図３は、上述したように生成された伝送コンテンツデータを再生し、また、記録（コピー）するための構成例である。２１で示す入力端子に対して伝送コンテンツデータが供給され、オリジナルマーク分離回路２２にて暗号化コンテンツデータとオリジナルマークとに分離される。暗号化コンテンツデータは、オリジナルマークを持たない。但し、コピーマークを付加する時には、暗号化コンテンツデータがコピーマークを持っていても良い。暗号化コンテンツデータは、エラー訂正回路２３に供給され、エラー訂正処理がなされる。エラー訂正回路２３の出力が暗号化の復号化回路２４に供給され、暗号化が復号される。復号化回路２４の出力が出力端子２５に取り出される。出力端子２５には、再生回路（図示しない）が接続されており、コンテンツデータ例えば音楽データが再生される。
【００２１】
また、復号化回路２４で復号されたコンテンツデータがスイッチ回路２６の入力端子ａに供給される。スイッチ回路２６の一方の出力端子ｂが出力端子２７として導出されている。スイッチ回路２６の他方の出力端子ｃが出力端子２８として導出されている。出力端子２７には、記録回路（図示しない）が接続されており、コンテンツデータが記録媒体に記録（コピー）される。また、出力端子２８には、表示制御部（図示しない）が接続されており、コピー不可のメッセージ例えば「コピーできません。」が表示されるようになされる。
【００２２】
オリジナルマーク分離回路２２で分離されたオリジナルマークがオリジナルマーク識別部２９に供給される。入力される伝送コンテンツデータにオリジナルマークが含まれている時には、分離回路２２によって、オリジナルマークが分離される。若し、入力された伝送コンテンツデータがコピーされたものである場合には、オリジナルマークが存在しないので、分離回路２２からは、オリジナルマークが取り出されない。また、コピー時にコピーマークを付加する時には、分離回路２２からコピーマークが分離される。
【００２３】
オリジナルマーク識別部２９は、オリジナルマークの有無に基づいて、入力された伝送コンテンツデータがオリジナルか、コピーかを決定し、判別信号を発生する。この識別部２９から出力されるオリジナル／コピー判別信号がスイッチ回路２６を制御すると共に、出力端子３０に取り出される。出力端子３０には、表示部（図示しない）が接続されており、オリジナルのコンテンツか、コピーされたコンテンツかを表示する。表示のみならず、システムに対して、オリジナルかコピーかの情報を報知するようにしても良い。
【００２４】
スイッチ回路２６は、伝送コンテンツデータがオリジナルであることを示す識別部２９の出力信号によって、入力端子ａが出力端子ｂと接続される。それによって、コンテンツデータが出力端子２７を通じて記録回路に供給され、コンテンツがコピーされる。すなわち、１世代目のコピーが可能である。一方、識別部２９の出力信号が伝送コンテンツデータがコピーであることを示す場合では、２世代目以降のコピーを禁止しているので、スイッチ回路２６の入力端子ａと出力端子ｃとが接続される。それによって、コピーが禁止され、また、コピー不可の表示が表示部上になされる。
【００２５】
オリジナルマークを有するコンテンツは、例えばＷｅｂサイトによってインターネットを介してユーザに対して配信される。サイト側でば、オリジナルマークの有るコンテンツ、すなわち、オリジナルコンテンツ所有者に対して特典を与えることによって、オリジナルをコピーよりも魅力のあるものとできる。
【００２６】
図４は、オリジナルコンテンツの所有者に対する特典の提供を説明するものである。ステップＳ１は、ユーザがサイトにアクセスしたことを示す。例えばサイトで提供するサービスの一つとして、オリジナルマークの所有者に対してのサービスが設定されている。ユーザは、オリジナルマークが付加されたコンテンツデータをサイトに対して伝送する。
【００２７】
ステップＳ２では、サイトがオリジナルマークの有無を決定する。オリジナルマークが有れば、ステップＳ３において、オリジナルコンテンツの所有者に対してのサービスが提供される。例えばコンサートの情報の提供、コンサートのチケットの優先的販売、所定の曲の無償のダウンロードのような特典が提供される。若し、ステップＳ２において、オリジナルマークが無いと決定される時には、ステップＳ４において、サービスの提供が中止され、ユーザに対するメッセージが送られる。例えば「これはオリジナルマークがありません。」のメッセージがユーザに送られる。この場合、破線のステップＳ５で示すように、コピー所有者用のサービスを提供しても良い。コピー所有者か否かは、オリジナルマークが無いこと以外に、コピーマークが有ることによって判別することができる。
【００２８】
図５は、この発明を記録媒体例えば再生専用の光ディスクに対して適用した場合の記録装置（カッティング装置）の基本的構成を示す。オリジナルなコンテンツを光ディスクに記録して提供する時に、オリジナルマークと光ディスクとの間が密接な関係を持つことが好ましい。マスタリング装置では、ガスレーザや半導体レーザから出射されたレーザ光が光変調器で変調され、感光物質であるフォトレジストが塗布されたディスク状のガラス原盤４４に対して光ピックアップによって照射される。それによって、データが記録される。ガラス原盤４４は、トラッキング、フォーカス、スピンドル等のサーボで制御される。
【００２９】
図５の例では、入力端子４１にウォブルキーが供給される。ウォブルキーが位相変調器４２に供給される。位相変調器４２には、端子４３から正弦波のウォブリング信号が供給され、ウォブリング信号の位相がウォブルキーで位相変調される。位相変調器４２の出力によって原盤４４上には、ウォブリンググルーブ４５が形成される。グルーブの４５間は、ランドと呼ばれる。ウォブリンググルーブ４５は、内周から外周へスパイラル状に連続して形成されている。なお、ウォブリンググルーブの情報を、トラッキングサーボ用、スピンドルサーボ用、同期クロック生成用、または絶対アドレス用に使用することができる。
【００３０】
図６は、位相変調器４２でなされる位相変調を示すものである。図６Ａが例えば２２．０５ｋHzの周波数を有する正弦波のウォブリング信号である。図６Ｂは、ウォブルキーの一部を示す。位相変調器４２では、ウォブルキーの"0" および"1" に応じてウォブリング信号の位相を制御し、図６Ｃに示すような位相変調されたウォブリング信号を発生する。この位相変調後のウォブリング信号によって原盤４４上にウォブリンググルーブ４５が形成される。図６Ｄに示すように、ウォブリング信号の２周期毎の位相をウォブルキーの各ビットによって変調しても良い。
【００３１】
図５において、４６で示す入力端子には、オリジナルマーク生成用のデータが供給される。オリジナルマーク生成用のデータは、コンテンツの暗号化の鍵のデータである。オリジナルマーク生成用のデータとウォブルキー（またはウォブルキーの一部）とが変換器４７に供給される。変換器４７は、オリジナルマーク生成用のデータとウォブルキーとから変換処理によって新たなデータ、すなわち、オリジナルマークを生成するものである。変換処理としては、ハッシュ演算を使用できる。また、二つのデータの混合処理または暗号化を行なうことによってオリジナルマークを生成しても良い。
【００３２】
４９で示す入力端子には、暗号化コンテンツデータが供給される。暗号化コンテンツデータと変換器４７からのオリジナルマークとがマルチプレクサ４８に供給される。マルチプレクサ４８において、コンテンツデータに対してオリジナルマークを含むコンテンツヘッダが付加される。マルチプレクサ４８の出力が光ピックアップ（図示しない）に供給され、原盤４４上にピットとして記録される。ピットは、ウォブリンググルーブ内および／またはランド上に形成される。ウォブリンググルーブを先に形成し、次にピットを形成するよってなされる。両者を同時に形成するようにしても良い。
【００３３】
マスタリング装置によって記録されたガラス原盤４４を現像し、電鋳処理することによってメタルマスタを作成し、次に、メタルマスタからマザーディスクが作成され、さらに次に、マザーディスクからスタンパが作成される。スタンパーを使用して、圧縮成形、射出成形等の方法によって、光ディスクが作成される。この光ディスクは、オリジナルマークを有するもので、オリジナルコンテンツの提供媒体である。
【００３４】
このように製造された光ディスクの再生時には、ピットの再生によって暗号化コンテンツデータおよびオリジナルマークを再生することができる。また、ウォブリンググルーブの再生信号を得ることができ、再生信号を位相復調することによってウォブルキーを再生できる。暗号化を復号するためには、オリジナルマークとウォブルキーとを使用し、記録時の変換処理と逆の変換処理を行ない、ウォブルマーク生成用データを得るようになされる。言い換えると、ウォブルマーク生成用データを得るためには、ウォブルキーが必要である。ウォブルキーは、ウォブリンググルーブの再生信号を位相復調してから得られるものであり、光ディスクを必要とする。したがって、オリジナルの提供媒体のセキュリティを高めることができる。
【００３５】
図７は、例えば音楽配信でパーソナルコンピュータによってダウンロードされたオリジナルコンテンツを記録可能な光ディスクに記録する場合の基本的構成を示す。ダウンロードされるのは、暗号化コンテンツ５１とコンテンツヘッダ５２にオリジナルマーク５３が含まれるデータである。オリジナルマーク５３は、コンテンツの暗号化を復号するのに必要な情報（鍵等）である。５４は、記録可能な光ディスクを示す。記録可能な光ディスクとしては、書き換え可能な光ディスク、または追記型光ディスクが使用される。
【００３６】
光ディスク５４は、そのディスクをユニークに識別できる固有の情報（ユニークディスクＩＤと称する）が記録されている。例えば光ディスク５４のリードインエリア５５にユニークディスクＩＤが記録されている。ダウンロードされた暗号化コンテンツが光ディスク５４に記録され、そのオリジナルマーク５３が変換器５６に供給される。変換器５６には、ユニークディスクＩＤが供給されている。変換器５６では、オリジナルマークとユニークディスクＩＤとの両者を演算してハッシュ値を生成するような変換処理を行う。変換処理に代えて混合処理または暗号化処理を行なっても良い。
【００３７】
変換器５６の出力が光ディスク５４に記録される。変換器５６の出力は、そのディスクに固有のものに変換されたオリジナルマークである。また、暗号化コンテンツ５１と変換器５６の出力とは、光ディスク５４上において、連携をとることができるのであれば、同一の領域に記録される必要はない。
【００３８】
このように、図７のシステムで記録された光ディスク５４は、オリジナルコンテンツの提供媒体となる。すなわち、光ディスク５４からコンテンツを再生する場合には、暗号化を復号するためにオリジナルマークが必要となる。オリジナルマークは、変換されたオリジナルマークとユニークディスクＩＤとを逆変換処理することで得られる。すなわち、ユニークディスクＩＤがないと、オリジナルマークを発生し、また、暗号化を復号することができない。このようにして、ダウンロードされたオリジナルコンテンツのセキュリティを高めることができる。なお、ユニークディスクＩＤに代えて、ダウンロードされたデータを光ディスク５４に記録する時に、乱数を生成するようにしても良い。さらに、光ディスク５４がウォブリンググルーブを有する時には、ユニークディスクＩＤに代えて使用しても良い。
【００３９】
なお、上述した実施形態では、主としてオーディオコンテンツについて説明したが、オーディオ以外のビデオデータ、電子ブック、ゲームソフトウェア、映画ソフトウエア等のコンテンツに対しても、上述したのと同様にこの発明を適用することができる。また、オリジナルの提供媒体としては、光ディスクに限定されるものではなく、リムーバブルなフラッシュメモリのような半導体メモリであっても良い。
【００４０】
【発明の効果】
以上の説明から明らかなように、この発明によれば、コピー禁止とされたオリジナルマークがコンテンツに付随して伝送されるので、オリジナルとコピーの識別を確実に行なうことができる。また、コンテンツの権利者は、オリジナルの所有者に対してのみに特典を与えるようなサービスを行なうことができる。それによって、オリジナルを購入することがより魅力的となり、オリジナルの販売を拡大することができる。さらに、オリジナルマークとオリジナルの提供媒体とを密接に関係させることによって、オリジナルマークのセキュリティを向上できる。すなわち、オリジナルの提供媒体でない所にあるオリジナルマークは、偽物と判定することができる。
【図面の簡単な説明】
【図１】この発明の一実施形態の概略を説明するための略線図である。
【図２】この発明の一実施形態におけるコンテンツデータ制作のための構成例を示すブロック図である。
【図３】この発明の一実施形態におけるコンテンツの記録または再生のための構成例を示すブロック図である。
【図４】この発明の一実施形態においてオリジナルの所有者に対して提供されるサービスの説明のためのフローチャートである。
【図５】この発明を光ディスクのマスタリング装置に適用した構成例を示すブロック図である。
【図６】図５における位相変調動作の説明に用いる波形図である。
【図７】この発明を光ディスク記録装置に適用した構成例を示すブロック図である。
【符号の説明】
１Ａ・・・オリジナルコンテンツ、１Ｂ・・・コピーされたコンテンツ、２Ａ，２Ｂ・・・コンテンツヘッダ、３・・・オリジナルマーク、４・・・コピーマーク、４２・・・位相変調器、４４・・・原盤、４５・・・ウォブリンググルーブ、５４・・・記録可能な光ディスク
【図１】
0004403651.tif 000002
【図２】
0004403651.tif 000003
【図３】
0004403651.tif 000004
【図４】
0004403651.tif 000005
【図５】
0004403651.tif 000006
【図６】
0004403651.tif 000007
【図７】
0004403651.tif 000008